(57)【要約】【課題】本発明は、無線通信網を介して転送されるショート・メッセージ・サービス（SMS）メッセージの中で広告のために無作為に大量転送されるSMSメッセージの受信をブロックするためのスパムSMSメッセージ遮断システム及びその方法を提供する。【解決手段】本発明は、発信端末機使用者が受信端末機使用者に発信したショート・メッセージ・サービス（SMS）メッセージを受信端末機に送信する前に、それを認証するためのスパム・メッセージ遮断システムであって、発信端末機使用者からショートメッセージを受信し、発信端末機使用者にそのショート・メッセージを送信したかどうかについて認証を要請し、前記要請に対する応答がある場合には、前記ショート・メッセージを受信端末機に転送するSMS処理サーバを含むことを特徴とする、スパム・ショート・メッセージ遮断システムを提供する。【選択図】図２
2008278436.tif 000002
【特許請求の範囲】
【請求項１】
発信者端末機使用者が受信端末機使用者に発信したショート・メッセージ・サービス（SMS）メッセージを受信端末機に送信する前にそれを認証するコールバック・ショート・メッセージを利用したスパム・ショート・メッセージの遮断システムであって、
発信端末機使用者からショート・メッセージを受信し、発信端末機使用者にそのショート・メッセージを送信したかどうかに関する認証を要請し、前記要請に対する応答がある場合は、前記ショート・メッセージを受信端末機に転送するSMS処理サーバを含むことを特徴とする、コールバック・ショート・メッセージを利用したスパム・ショート・メッセージ遮断システム。
【請求項２】
受信端末機使用者がスパム・ショート・メッセージ遮断サービスに加入した使用者であるかどうかを認証する認証サーバをさらに備えることを特徴とする、請求項１に記載のコールバック・ショート・メッセージを利用したスパム・ショート・メッセージ遮断システム。
【請求項３】
端末機使用者別にショート・メッセージ受信を許容した発信者端末機の識別情報を格納する使用者別許容DBMSをさらに備えることを特徴とする、請求項１に記載のコールバック・ショート・メッセージを利用したスパム・ショート・メッセージ遮断システム。
【請求項４】
前記使用者別許容DBMSを参照して、受信が許容されていない発信者である場合には、前記SMS処理サーバにコールバック・ショート・メッセージを送信することを要請するコールバック判断サーバをさらに備えることを特徴とする、請求項２に記載のコールバック・ショート・メッセージを利用したスパム・ショート・メッセージ遮断システム。
【請求項５】
前記コールバック・ショート・メッセージは、発信端末機使用者が受信端末機使用者に発信した前記ショート・メッセージと区別するために、前記コールバック・ショート・メッセージのヘッダー部に認証用コールバック・ショート・メッセージであることを知らせる情報を記録したり、あるいは、前記コールバック・ショート・メッセージの本文に特定文字列を挿入することを特徴とする、請求項４に記載のコールバック・ショート・メッセージを利用したスパム・ショート・メッセージ遮断システム。
【請求項６】
前記コールバック判断サーバは、WAPサーバであることを特徴とする、請求項４に記載のコールバック・ショート・メッセージを利用したスパム・ショート・メッセージ遮断システム。
【請求項７】
発信端末機使用者が受信端末機使用者に発信したショート・メッセージ・サービス(SMS)メッセージを受信端末機に送信する前にそれを認証する方法であって、
発信端末機使用者からショート・メッセージを受信する第１段階と、
発信端末機使用者に前記ショート・メッセージを送信したがどうかについて認証を要請する第２段階と、
前記第２段階の要請に対する応答がある場合には、前記ショート・メッセージを受信端末機に転送する第３段階とを含むことを特徴とする、コールバック・ショート・メッセージを利用したスパム・ショート・メッセージ遮断方法。
【請求項８】
前記第２段階以降、所定期間までに前記発信端末機使用者から認証に対する応答を受信することができない場合には、前記ショート・メッセージを削除する第４段階をさらに含むことを特徴とする、請求項７に記載のコールバック・ショート・メッセージを利用したスパム・ショート・メッセージ遮断方法。
【請求項９】
前記第２段階の認証要請は、コールバック・ショート・メッセージによって行なわれることを特徴とする、請求項７に記載のコールバック・ショート・メッセージを利用したスパム・ショート・メッセージ遮断方法。
【請求項１０】
前記コールバック・ショート・メッセージは、発信端末機使用者が受信端末機使用者に発信した前記ショート・メッセージと区別するために、前記コールバック・ショート・メッセージのヘッダー部に認証用コールバック・ショート・メッセージであることを知らせる情報を記録したり、あるいは、前記コールバック・ショート・メッセージの本文に特定文字列を挿入することを特徴とする、請求項９に記載のコールバック・ショート・メッセージを利用したスパム・ショート・メッセージ遮断方法。
【発明の詳細な説明】
【技術分野】
【０００１】
本発明は、コールバック・ショート・メッセージを利用したスパム・ショート・メッセージ遮断システム及びその方法に関し、より詳細には、コールバック・ショート・メッセージを利用して、無線通信網を介して転送されるショート・メッセージ・サービス(short message service;通称SMS)の中で広告目的で無作為に大量転送されるスパム・ショート・メッセージの受信をブロックするコールバック・ショート・メッセージを利用したスパム・ショート・メッセージ遮断システム及びその方法に関するものである。
【背景技術】
【０００２】
ショート・メッセージ・サービスとは、通称SMS(Short
Message Service)と呼ばれ、無線通信網を介して端末機の間、または、通信会社の端末機など多者間のショート・メッセージを転送することができる通信手段として重要な位置を占めており、その使用も急速に増加してきている。このように、ショート・メッセージの便利さとその活用度が増加し、多様になることによって、業務用途だけではなく、個人のメッセージ交換手段としてショート・メッセージの使われる割合がますます増えるようになった。このため、このようなショート・メッセージの転送、及び受信されたショート・メッセージの確認にかかる時間も増加している。
【０００３】
一方、ショート・メッセージの使用が普遍化し、その使用割合が大きくなることに伴い、不特定多数を対象とする広告/マーケティングの媒体として電子メールを使用するスパム・ショート・メッセージが急増している。これは、ショート・メッセージの内容を確認するかどうかは別として、ショート・メッセージが受信者の意思と無関係に受信されるということを悪用した行為で、受信者は、望まないショート・メッセージ(スパム・ショート・メッセージ)の確認や削除のために多くの時間を消費してしまうという問題点がある。
【０００４】
特に、このようなスパム・ショート・メッセージはより多くの受信者に転送することを目的としているため、多量のショート・メッセージを送信するために受信者電話番号の売買まで行なわれている。最近では、スパム・ショート・メッセージを自動で転送するプログラムもが流布しており、誰もが簡単に不特定多数にスパム・ショート・メッセージを送信することができるようになった。このようなことから、一般受信者の場合にも、一日平均十数通以上のスパム・ショート・メッセージを受信するほどその量が増加するようになった。また、このようなスパム・ショート・メッセージは、受信者が望まない情報を含んでいるだけでなく、ウィルスやスパイウェアなど悪性コードを流布するための手段として悪用されており、その被害の深刻性がますます高くなっている。
【０００５】
このように、無線端末機の受信者は、不要なスパム・ショート・メッセージを削除することなど、その処理のための多くの時間や手間をかけなければならず、さらに、悪性コードに露出してしまうなどの問題点があり、特に、未成年者の無線端末機にも成人向け商品を広告するためのショート・メッセージがそのまま伝達されるという問題点もある。
【０００６】
このようなスパム・ショート・メッセージをブロックするために、通信会社及び無線端末機製造社などがいくつかの技術を提示している。その技術の一つは、ユーザーの無線端末機に任意のキーワードを設定するようにし、受信されたショート・メッセージの内容に保存されているキーワードが含まれている場合にはショート・メッセージをブロックする方式である。このような方式は、ユーザーの無線端末機の操作だけでスパム・ショート・メッセージをブロック可能であるというメリットはあるが、キーワード方式を使用するので、場合によっては受信すべきショート・メッセージをブロックしてしまうという問題点、そして、使用者が直接キーワードを入力しなければならないことから、無線端末機の操作に慣れていないユーザーには使用が難しいという短所がある。
【０００７】
通信会社が提供するサービスとしては、特定の局番号をブロックするサービスがある。例えば‘060-’遮断サービスがそれである。しかし、このようなサービスに対応して、スパム・ショート・メッセージを大量に送信する業社は、発信者の番号を別の仮想の番号に変更して送信するというさらに進んだ方式を開発し、特定番号遮断サービスを使用してもスパム・ショート・メッセージのブロックを完全に行うことができなくなっている。
【発明の開示】
【発明が解決しようとする課題】
【０００８】
そこで、本発明は、上記従来の問題点に鑑みてなされたものであって、本発明の目的は、ショート・メッセージの発信者に所定のコールバックSMSメッセージを送信し、認証された発信者が転送したショート・メッセージのみを正常なショート・メッセージとして認識し、それを受信者に受信処理されるようにすることで、不特定受信者に無作為に送信されるスパム・ショート・メッセージを效果的にブロックすることができるコールバックショート・メッセージを利用したスパム・ショート・メッセージ遮断システム及びその方法を提供することである。
【０００９】
また、本発明の他の目的は、ショート・メッセージの発信者に認証ショート・メッセージを転送する際に、メールシステムが一般のショート・メッセージ(スパムメール、一般メール)と認証用ショート・メッセージとを区別して受信するようにすることで、前記発信者と受信者の無線端末機が認証用ショート・メッセージのみを継続して交換するようなことを防止することができるコールバック・ショート・メッセージを利用したスパム・ショート・メッセージ遮断システム及びその方法を提供することである。
【００１０】
また、本発明の他の目的は、ショート・メッセージの発信者を認証するために転送された認証用ショート・メッセージに対する応答が受信される前に、前記発信者が転送したSMSメッセージを受信者が任意に受信及び確認することができるコールバック・ショート・メッセージを利用したスパム・ショート・メッセージ遮断システム及びその方法を提供することである。
【課題を解決するための手段】
【００１１】
本発明は、上記課題を達成する為に以下の構成を有する。
請求項１に記載の発明に係るコールバック・ショート・メッセージを利用したスパム・ショート・メッセージ遮断システムは、発信者端末機使用者が受信端末機使用者に発信したショート・メッセージ・サービス（SMS）メッセージを受信端末機に送信する前にそれを認証するコールバック・ショート・メッセージを利用したスパム・ショート・メッセージの遮断システムであって、発信端末機使用者からショート・メッセージを受信し、発信端末機使用者にそのショート・メッセージを送信したかどうかに関する認証を要請し、前記要請に対する応答がある場合は、前記ショート・メッセージを受信端末機に転送するSMS処理サーバを含む。
【００１２】
請求項7に記載の発明に係るコールバック・ショート・メッセージを利用したスパム・ショート・メッセージ遮断方法は、発信端末機使用者が受信端末機使用者に発信したショート・メッセージ・サービス(SMS)メッセージを受信端末機に送信する前にそれを認証する方法であって、発信端末機使用者からショート・メッセージを受信する第１段階と、発信端末機使用者に前記ショート・メッセージを送信したがどうかについて認証を要請する第２段階と、前記第２段階の要請に対する応答がある場合には、前記ショート・メッセージを受信端末機に転送する第３段階とを含む。
【発明の効果】
【００１３】
本発明によるスパムSMSメッセージ遮断システム及びその方法は、認証用ショートメッセージに対する応答を通じて、SMSメッセージの発信者を認証することで、スパムSMSメッセージを效果的にブロックすると同時に、スパム遮断システムにおいて、認証用ショートメッセージと一般SMSメッセージとを区別可能にすることにより、認証用ショートメッセージを継続して送受信することを防止することができるという効果がある。
【００１４】
さらに言えば、本発明によるスパムSMSメッセージ遮断システム及びその方法は、第１に、加入者別許容DBMSに登録されていない発信者から転送されたSMSメッセージに対して、該発信者に認証用ショートメッセージを転送し、前記認証用ショートメッセージに対する応答有無によって発信者を認証することにより、不特定多数に大量転送されるスパムSMSメッセージと、任意に生成された仮想の無線端末機番号から転送されるスパムSMSメッセージを效果的にブロックすることができる。
【００１５】
第２に、認証された発信者が転送したSMSメッセージのみを受信するようになるので、スパムSMSメッセージ処理のための受信者の無駄な時間や苦労を著しく減らすことができる。
【００１６】
第３に、スパムSMSメッセージ遮断機能をSMSメッセージの受信側ではなく、発信側で処理することになるので、受信者側のSMSメッセージ処理システムの不要なリソース浪費を防止することができる。
【００１７】
第４に、認証用ショートメッセージの場合、ヘッダー部分に認証用ショートメッセージタイプであることを表示するための情報を挿入したり、あるいは、SMSメッセージの本文に特定文字列を挿入して送信することにより、認証用ショートメッセージを受信するSMS処理サーバが、受信したSMSメッセージを認証用ショートメッセージと判断し、認証用ショートメッセージを継続して送受信することを防止することができる。
【００１８】
第５に、一度SMSメッセージの受信を許可した発信者の端末情報を保存しておくことにより、以降に送信される該SMSメッセージに対しては認証用コールバック・ショート・メッセージを送信する手続きなしに、受信者に直ちに転送されることができるという効果がある。
【発明を実施するための最良の形態】
【００１９】
以下、添付した図面を参照して本発明の長点、特徴、及び好ましい実施形態を詳細に説明する。
【００２０】
図１は、本発明による一実施形態に係るスパム・ショート・メッセージ遮断システムの構成図である。図１に示すように、スパム・ショート・メッセージ遮断システムは、無線端末機（10、20）、SMS処理サーバ50、コールバック判断サーバ100、及び使用者別許容DBMS150で構成されている。
【００２１】
無線端末機（10、20）は、無線でショート・メッセージを送受信する端末機を意味し、代表的な例として携帯電話を挙げることができる。本発明では、説明の便宜上、SMSを発信する無線端末機を発信無線端末機10とし、SMSを受信する無線端末機を受信無線端末機20とする。無線端末機（10、20）には使用者別許容DBMS150にアドレスをダウンロードするためのアプリケーションが備えられている。
【００２２】
ショート・メッセージ処理サーバ50は、ショート・メッセージ・サービス（以下、SMSという。）メッセージを、（１）受信無線端末機に直接送信し、（２）該当SMSメッセージをコールバック判断サーバ100に転送し、コールバック判断サーバ100の制御信号によってSMSメッセージを送信した無線端末機10（以下、発信無線端末機という。）に認証用コールバックSMSメッセージを転送し、（３）コールバック判断サーバ100の制御信号によって該当SMSメッセージを受信無線端末機に転送するサーバである。
【００２３】
コールバック判断サーバ100は、SMS処理サーバ50から転送されたSMSメッセージの受信者を把握した後、使用者別許容DBMS150に該当発信者が含まれているかどうかにより、（１）SMS処理サーバ50に該当SMSを受信無線端末機20に転送することを要請し、（２）SMS処理サーバ50にコールバックSMSメッセージを転送し、発信無線端末機10からのコールバックSMSに対する応答有無によってSMS処理サーバ50に該当SMSを受信無線端末機20に転送することを要請するか、あるいは、所定期間応答がない場合には、該当SMSメッセージを削除処理する制御信号を生成し、（３）発信無線端末機10にコールバックSMSを転送し、発信無線端末機10の応答有無によってSMS処理サーバ50に該当SMSメッセージを受信無線端末機20に転送することを要請するか、あるいは、所定期間応答がない場合には、該当SMSメッセージを削除処理する制御信号を生成する。
【００２４】
使用者別許容DBMS150（DataBase Management System；以下、DBMSという。）は、使用者別に受信しようとする発信者の無線端末機情報を格納するものである。ここに格納される無線端末機情報は、無線端末機の番号またはその他の識別情報である。使用者がスパムSMSサービスに加入する場合、加入者の無線端末機（10、20）にはアプリケーション（11、21）が設置され、該当アプリケーション（11、21）を利用して加入者の無線端末機（10、20）に保存されたアドレス情報が使用者別許容DBMS150に格納されるようにする。
【００２５】
図２は、本発明の一実施形態に係るスパム・ショート・メッセージ遮断システムの構成図であり、図１の実施形態との違いは、認証サーバ200がさらに備えられていることである。認証サーバ200は、コールバックSMSを利用したスパムSMS遮断サービスを申し込んだ加入者を認証するための処理部である。図１の実施形態のシステムは、すべての加入者を対象とする一方、図２の実施形態は、コールバックSMSメッセージを利用したスパムSMSメッセージ遮断サービスを申し込んだ加入者を対象としてサービスを提供するものである。図１のシステムと図２のシステムは、認証サーバ200を除くその他の構成が同一であるので、図２のシステムを参照して本発明によるスパム・ショート・メッセージ遮断システムの動作について説明することにする。
【００２６】
図３乃至図５は、無線端末機（10、20）の間でSMSメッセージの送受信が行なわれる場合のフローチャートである。図３は、受信無線端末機20の使用者がスパム・ショート・メッセージ遮断サービスに加入していない場合の動作フローチャートである。図４は、受信無線端末機20の使用者がスパム・ショート・メッセージ遮断サービスに加入しているが、発信無線端末機が使用者別SMS許容DBMS150に保存されていない場合の動作フローチャートである。図５は、受信無線端末機20の使用者がスパム・ショート・メッセージ遮断サービスに加入しており、発信無線端末機が使用者別SMS許容DBMS150に保存されている場合の動作フローチャートである。
【００２７】
まず、図３に示すように、受信無線端末機10の使用者がスパム・ショート・メッセージ遮断サービスに加入していない場合の動作フローチャートを参照して説明する。認証サーバ200は、発信無線端末機10から受信されるSMSメッセージの受信者がスパムSMSメッセージ遮断サービスに加入した加入者であるかどうかを認証し（ステップST110）、認証結果、加入していない場合には、SMS処理サーバ50にSMSメッセージ転送を指示する（ステップST120）。SMS処理サーバ50は、該当SMSメッセージを受信無線端末機20に転送する（ステップST130）。
【００２８】
次に、図４に示すように、受信無線端末機10の使用者がスパム・ショート・メッセージ遮断サービスに加入しているが、発信無線端末機が使用者別SMS許容DBMS150に保存されていない場合の動作フローチャートを参照して説明する。認証サーバ200は、発信無線端末機10から受信されるSMSメッセージの受信者が、スパムSMSメッセージ遮断サービスに加入している加入者であるかどうかを認証し(ステップST110)、認証結果、加入している場合は、加入していることをSMS処理サーバ50に知らせる（ステップST220）。SMS処理サーバ50は、該当SMSメッセージを保存し、コールバックSMSメッセージ転送が必要であるかどうかをコールバック判断サーバ100に要請する（ステップST230）。このような要請は、発信無線端末機情報と受信無線端末機情報を転送することによって行なわれる。コールバック判断サーバ100は、使用者別許容DBMS150で受信無線端末機情報をキー（key）として、保存されたリストに発信者端末機情報が含まれているかどうかを確認した後（ステップST240）、その確認結果をコールバック判断サーバ100に転送する（ステップST250）。コールバック判断サーバ100は、使用者別許容DBMS150から含まれていないという確認結果を受信した場合は、認証用コールバックSMSメッセージの生成をSMS処理サーバ50に要請する（ステップST260）。SMS処理サーバ50は、認証用コールバックSMSメッセージを生成し、これを発信無線端末機10に転送する（ステップST270）。また、SMS処理サーバ50は、該当コールバック番号をコールバック判断サーバ100にも転送するようになる。
【００２９】
このとき、認証用コールバックSMSメッセージがコールバックされるアドレスは、コールバック判断サーバ100のURL（Uniform Resource Locator）とすることが好ましく、コールバック番号を生成する方法は、SMSメッセージによって番号体系が異なっており、各SMSメッセージが多量発生するときは、SMSメッセージによって番号の後に順次番号を生成して付け、所定値を超えれば、再び循環する方式などを使用することができる。もちろんこのようなコールバック番号生成方法は、必要に応じて多様な変形が可能である。
【００３０】
発信無線端末機10は、該当認証用コールバックSMSメッセージに対する応答をコールバック判断サーバ100に転送する（ステップST290）。コールバック判断サーバ100は、発信無線端末機10から応答信号を受信した場合、SMS処理サーバ50に該当コールバック番号に該当するSMSメッセージを発信することを要請する（ステップST300）。SMS処理サーバ50は、このような要請に応答して、該当SMSメッセージを受信無線端末機20に送信する（ステップST310）。なお、コールバック判断サーバ100は、発信無線端末機10から認証用コールバックSMSメッセージに対する応答を受信した場合、該当SMS受信者の許与可能なリストに発信無線端末機情報を保存するように使用者別許容DBMS150に要請する（ステップST320）。ステップST320により使用者別許容DBMS150に一度SMSメッセージ受信を許与した発信者端末情報を保存しておくことにより、以降送信される該SMSメッセージは、図５に示すような手続きに基づき、認証用コールバックSMSメッセージを送信する手続きなしに、受信者に直ちに伝達されるようにする。
【００３１】
例えば、ステップST280段階の以降、所定時間までに、発信無線端末機10からの応答を受信することができない場合、コールバック判断サーバ100は、該SMSメッセージをスパムSMSメッセージと判断し、該SMSメッセージを削除することをSMS処理サーバ50に要請する（ステップST350）。
【００３２】
認証用コールバックSMSメッセージは、送信者に該当SMSを送信したことに対する認証を受けるためのSMSメッセージであって、このとき、コールバックされるURL（Uniform
Resource Locator）は、コールバック判断サーバ100のWAP（Wireless Application Protocol）のURLと指定する。認証用コールバックSMSメッセージの例は、図８に示されている。SMSメッセージの発信者は、認証用コールバックSMSメッセージを受信した後、転送（send）ボタンを押せば良い。スパムSMSメッセージの場合、多数の受信者にSMSメッセージを多量送信したり、あるいは、発信者の番号を任意に生成して送信する方式を使用しているので、このような認証用コールバックSMSメッセージに対して適切な応答を送信することができない。このようにしてスパムSMSメッセージを遮断することができるようになるわけである。
【００３３】
図８に示す認証用コールバックSMSメッセージの例では、発信無線端末機10が認証信号として単に“転送ボタン”を押すことが示されているが、これは一つの実施形態に過ぎず、その他の多様な実施形態が存在し得る。例えば、認証用コールバックSMSメッセージで認証番号を送信した後、発信者が該当認証番号を入力するように要請することも可能である。
【００３４】
一方、ステップST270段階で認証用コールバックSMSメッセージを発信無線端末機10に転送するが、その発信無線端末機10もスパムSMSメッセージ遮断サービスに加入している場合もあり得る。認証用コールバックSMSメッセージは、発信無線端末機10側にとっては、受信すべきSMSメッセージであると考えられるので、図４に示したフローチャートのように、認証用コールバックSMSメッセージを発信した発信者に対する認証を行なうために、認証用コールバックSMSメッセージを再び送信しなければならないという不具合が発生する。すなわち、発信者及び受信者の両方が本発明によるスパムSMSメッセージ遮断サービスに加入している場合には、認証用コールバックSMSメッセージが継続して発信無線端末機10と受信無線端末機20との間で送信されるようになるので、結果的にはこれを解決しないかぎりSMSメッセージを受信することができないという問題が発生する。
【００３５】
上記したような問題点を解決する方法としては、認証用コールバックSMSメッセージを発信無線端末機に送信する前に、コールバック判断サーバ100は、使用者別許容DBMS150に発信無線端末機の許与リストに認証用コールバックSMSのURLを追加しておく方法がある。さらに、その他に、認証用コールバックSMSメッセージのフォーマットを一般SMSメッセージのフォーマットと異なるようにして、コールバックSMSメッセージヘッダー部に認証用SMSメッセージであることを知らせる情報を記録したり、あるいは、認証用コールバックSMSメッセージの本文に特定文字列を挿入して送信するする方法もある。
【００３６】
次に、受信無線端末機10の使用者がスパムSMSメッセージ遮断サービスに加入しているが、発信無線端末機が使用者別SMS許容DBMS150に保存されている場合について図５を参照して説明する。
【００３７】
ステップST110、ステップST220乃至ステップST250までの動作フローは、図４の場合と同様である。しかし、ステップST260でコールバック判断サーバ100は、使用者別許容DBMS150から含まれているという確認結果を受信するようになり、SMSメッセージを受信無線端末機20に転送することをSMS処理サーバ50に要請する（ステップST260）。SMS処理サーバ50は、該当SMSメッセージを受信無線端末機20に転送するようになる。
【００３８】
図６は、本発明の一実施形態に係るスパム・ショート・メッセージ遮断システムの構成図である。図２に示すようなスパム・ショート・メッセージ遮断システムとは異なり、SMSメッセージを発送する発信者端末機としてSMSメッセージを多量発送するためのAPサーバ70（Application Server）を用いて実現している。図６の場合、殆どの機能がほぼ同一であるが、コールバック判断サーバ100とAPサーバ70は、TCP/IPを用いて両者間の直接的な通信が可能である点から一部の動作フロー上の差異がある。従って、図６に示すようなスパム・ショート・メッセージ遮断システムに関する動作の説明は、図２に示したスパム・ショート・メッセージ遮断システムの動作と異なる部分についてのみ説明する。
【００３９】
受信無線端末機20の使用者がスパム・ショート・メッセージ遮断サービスに加入していない場合は、図３のフローチャートと同様のプロセスを介して該当SMSメッセージが受信無線端末機20に転送される。同様に、受信無線端末機20の使用者がスパム・ショート・メッセージ遮断サービスに加入しており、発信者端末機70が使用者別SMS許容DBMS150に保存されている場合の動作フローチャートは、図５に示した動作フローチャートのように処理される。
【００４０】
受信無線端末機20の使用者がスパム・ショート・メッセージ遮断サービスに加入されているが、発信者端末機70が使用者別SMS許容DBMS150に保存されていない場合の動作フローチャートに関しては、ステップST110からステップST250までの動作フローは、図４の実施形態と同様に行なわれる。以下では、図４と異なる動作フローについてのみ図７を参照して説明する。
【００４１】
使用者別許容DBMS150から含まれていないという確認結果を受信した場合は、コールバック判断サーバ100は、発信者端末機70に送信するコールバック認証メールを作成した後、それを発信者端末機70に転送する（ステップST560）。
【００４２】
このとき、認証用コールバックメールがコールバックされるアドレスは、コールバック判断サーバ100のURL（Uniform Resource Locator）とすることが好ましく、コールバック番号を生成する方法は、SMSメッセージによって番号体系を異にし、各SMSメッセージが多量発生する場合は、SMSメッセージによる番号の後に順次番号を生成して付け、所定値を超えれば、再び循環する方式などを使用してもよい。もちろんこのようなコールバック番号生成方法は、必要に応じて多様な変形が可能である。
【００４３】
図６の実施形態では、コールバック判断サーバ100から発信者端末機70へ応答を要請する方式をコールバック認証SMSではなく、コールバック認証メールと称する。これは図６のシステムの場合、コールバック判断サーバ100と発信者端末機70は、TCP/IPのような同一の通信プロトコールを用いて他の媒介装置なしに直接転送が可能なためである。従って、コールバック判断サーバ100と発信者端末機70は、多様な方式でコールバック番号を認証することができ、このような認証方法にはSMSメッセージも含まれる。このように、コールバック認証メールは、SMSメッセージ形式を含む、より広い範囲の用語として使用されるものであり、電子メールまたはWEB認証などの方法も含む二つのサーバの間で認証する多様な通信方法を使用した認証方法を含むものとして理解されなければならない。
【００４４】
発信者端末機70は、該当認証用コールバックSMSメッセージに対する応答をコールバック判断サーバ100に転送する（ステップST570）。コールバック判断サーバ100は、発信者端末機70から応答信号を受信した場合、SMS処理サーバ50に該当SMSメッセージを発送することを要請する（ステップST300）。SMS処理サーバ50は、このような要請に応答して該当SMSメッセージを受信無線端末機20に発送する（ステップST310）。さらに、コールバック判断サーバ100は、発信者端末機70から認証用コールバックSMSメッセージに対する応答を受信した場合、該当SMSメッセージ受信者の許与可能なリストに発信者端末機情報を保存するように使用者別許容DBMS150に要請する（ステップST320）。
【００４５】
このとき、もしステップST280以降、所定時間までに、発信者端末機70から応答を受信することができない場合には、コールバック判断サーバ100は、該当SMSメッセージをスパムSMSメッセージと判断し、該当SMSメッセージを削除することをSMS処理サーバ50に要請する（ステップST350）。
【００４６】
本発明の一実施形態としてショート・メッセージ処理システムの構成例が図１、図２及び図６に示されている。ショート・メッセージ処理システムは一般に、認証サーバ200及びSMS処理サーバ50は通信会社に備えられることが好ましく、コールバック判断サーバ100及び使用者別許容DBMS150は、スパム・ショート・メッセージ処理を主に担当する事業体で運営することが好ましい。しかし、システムを構成するサーバをどのような方式で運営するかについては、各通信会社と事業体との利益に応じて多様な組合わせが可能である。
【００４７】
以上、本発明の好ましい実施形態について特定用語を使用して詳細に記載したが、これは本発明を説明するためのものであり、本発明の特許請求の範囲の技術的思想及び範囲から逸脱しない範囲内で多様に変更及び実施することが可能である。
【図面の簡単な説明】
【００４８】
【図１】本発明の一実施形態に係るスパム・ショート・メッセージ遮断システムの構成図。
【図２】本発明の一実施形態に係るスパム・ショート・メッセージ遮断システムの構成図。
【図３】受信無線端末機の使用者がスパム・ショート・メッセージ遮断サービスに加入していない場合の動作フローチャート。
【図４】受信無線端末機の使用者がスパム・ショート・メッセージ遮断サービスに加入しているが、発信無線端末機が使用者別SMS許容DBMSに格納されていない場合の動作フローチャート。
【図５】受信無線端末機の使用者がスパム・ショート・メッセージ遮断サービスに加入されており、発信無線端末機が使用者別SMS許容DBMS150に格納されている場合の動作フローチャート。
【図６】本発明の一実施形態に係るスパム・ショート・メッセージ遮断システムの構成図。
【図７】受信無線端末機の使用者がスパム・ショート・メッセージ遮断サービスに加入しているが、発信者端末機が使用者別SMS許容DBMSに格納されていない場合の動作フローチャート。
【図８】受信者に送付されるコールバック・ショート・メッセージの例を示す図。
【符号の説明】
【００４９】
１０・・・発信無線端末機
２０・・・受信無線端末機
１１、２１・・・アプリケーション
５０・・・SMS処理サーバ
１００・・・コールバック判断サーバ
１５０・・・使用者別許容DBMS
２００・・・認証サーバ
【図１】
2008278436.tif 000003
【図２】
2008278436.tif 000004
【図３】
2008278436.tif 000005
【図４】
2008278436.tif 000006
【図５】
2008278436.tif 000007
【図６】
2008278436.tif 000008
【図７】
2008278436.tif 000009
【図８】
2008278436.tif 000010